(57)【特許請求の範囲】
【請求項１】
竿の長さを変更可能な釣竿であって、
竿元部と、前記竿元部に対して伸縮可能な可動竿先部と、前記可動竿先部の伸縮時に、前記可動竿先部の伸長位置および短縮位置の何れの位置においても前記竿元部に対して可動竿先部を周方向の定位置に案内する案内部と、前記案内部によって案内された前記可動竿先部を前記定位置で周方向に相対的に位置決めする位置決め部とを有する案内・位置決め手段とを備え、
前記竿元部は、竿先側に前記可動竿先部が挿入可能な案内筒が連結されており、前記案内筒は先端にくさび状に突出した突出部及び前記突出部の内面に設けられている案内突起を有し、
前記可動竿先部は、中心軸筒と前記中心軸筒の両端外周に固定された竿先側の段差筒及び竿元側の段差筒とを有し、
前記竿元側の段差筒は、その竿先側端面に竿元側案内段差部と前記竿元側案内段差部に形成される前記案内突起に係合する竿元側係合部とを有し、
前記竿先側の段差筒は、その竿元側端面に竿先側案内段差部と前記竿先側段差部に形成される前記案内突起に係合する竿先側係合部とを有し、
前記竿元部の案内突起は、短縮位置において前記可動竿先部の前記竿先側の段差筒の竿先側案内段差部に当接して摺動して周方向の定位置に案内され且つ竿先側係合部により周方向に相対的に位置決めされ、
また、前記案内部の案内突起は、伸長位置において前記可動竿先部の前記竿元側の段差筒の竿元側案内段差部に当接して摺動して周方向の定位置に案内され且つ竿元側係合部により周方向に相対的に位置決めされ、
これら案内突起，案内段差部及び係合部が前記案内・位置決め手段である、釣竿。
【請求項２】
前記可動竿先部の竿元側の段差筒の竿先側端面の竿元側案内段差部は円筒を斜めに切断した楕円周形状であり、その楕円周形状の最も竿元側の領域がクサビ状に狭まりクサビ状案内部となっており、これが前記竿元部の案内突起に係合する竿元側係合部である、請求項１に記載の釣竿。
【請求項３】
前記可動竿先部の竿先側の段差筒の竿元側端面の竿先側案内段差部は、前記竿元側の段差筒の円筒を斜めに切断した楕円周形状と対称形であり、その楕円周形状の最も竿先側の領域がクサビ状に狭まりクサビ状案内部となっており、これが前記竿元部の案内突起に係合する竿先側係合部である、請求項２に記載の釣竿。
【請求項４】
前記竿元部の案内筒の案内突起は、くさび状に突出した突出部の先端より竿元側に離れた位置の内面に設けられており、
前記可動竿先部の竿先側の段差筒の竿元側端面は、前記竿先側案内段差部に相当する前記竿元側の段差筒の円筒を斜めに切断した楕円周形状と対称形の第１案内段差部と、前記竿先側案内段差部に相当する前記第１案内段差部とは別にさらに設けられており前記第１案内段差部から竿先側に軸方向にずれて前記第１案内段差部より太径化する第２案内段差部とからなる２段構造であり、
短縮位置において、前記竿元部の案内突起は前記可動竿先部の前記竿先側の段差筒の第１案内段差部に当接して摺動して周方向の定位置に案内され、また、前記竿元部のくさび状に突出した突出部の先端も第２案内段差部に当接して摺動して周方向の定位置に案内される、請求項３に記載の釣竿。
【発明の詳細な説明】
【０００１】
【産業上の利用分野】
本発明は、釣り竿に関し、特に竿の長さを変更可能な釣り竿に関する。
【０００２】
【従来の技術】
従来、必要に応じて竿の長さを変更できる釣り竿が提供されている。１本の釣り竿で長さが変更可能であれば、釣り場の状況や釣りの目的などに合わせて竿先を最適な位置まで伸ばしたり縮めたりして使用することが可能になる。たとえば、投げ釣りの際に、キャスティングのときには竿を長くして遠くまで投げられるようにし、アタリを待ったり魚を釣り上げるときには竿を短くして取扱い易くすることが可能になる。
【０００３】
竿の長さを変更するための構造としては、竿元側の竿部材に竿先側の竿部材を出入り自在に挿入しておき、竿先側の竿部材を引き出した状態および引き込んだ状態を選択できるようにしたものがある。具体的には実開平３−６７５５５号公報に開示された技術がある。
【０００４】
【発明が解決しようとする課題】
上記従来技術のように、竿元側の竿部材に竿先側の竿部材が出入り自在に挿入されている場合、竿先側の竿部材は周方向に自由に回転して竿元側の竿部材に対する周方向の位置が変わってしまう。竿部材の周方向の位置が一定しないと釣り竿の操作が行い難い。例えば、竿先側の部材に釣り糸のガイドが取りつけられている場合、ガイドの位置が周方向で移動するとガイドの機能が十分に果たせない。また、竿部材は周方向で材質および特性に違いがある。例えば、繊維強化樹脂製の竿部材では繊維シートの継目や重ね目とそれ以外の場所で特性の違いがある。そのため、竿部材の周方向の位置が変わると、釣り竿に力が加わったときのしなりや反発力に微妙な違いが生じて使用特性が良くない。
【０００５】
竿先側の竿部材の周方向における位置が変わらないようにするために、竿先側の竿部材を伸ばした位置および縮めた位置で、竿先側の竿部材と竿元側の竿部材とを周方向に位置合わせすることが行われている。また、位置合わせを行うために、周方向の位置決め用に位置合わせマークを付けておくことが行われる。しかし、この方法では、竿先側の竿部材を伸ばしたり縮めたりする毎に位置合わせマークを確認して位置合わせを行う必要があり手間がかかる。釣り竿を使用中に竿の長さを手早く変更したい場合などは、前記のような位置合わせマークの確認を行いながら位置合わせ作業を行うのは大変に面倒である。
【０００６】
本発明の目的は、竿の長さを変更したときに周方向の位置合わせが容易に行える釣り竿を提供することにある。
【０００７】
【課題を解決するための手段】
本発明の釣竿は、竿の長さを変更可能な釣竿であって、竿元部と、竿元部に対して伸縮可能な可動竿先部と、可動竿先部の伸縮時に、可動竿先部の伸長位置および短縮位置の何れの位置においても竿元部に対して可動竿先部を周方向の定位置に案内する案内部と、案内部によって案内された可動竿先部を定位置で周方向に相対的に位置決めする位置決め部とを有する案内・位置決め手段とを備えている。
【０００８】
この竿元部は、竿先側に前記可動竿先部が挿入可能な案内筒が連結されており、案内筒は先端にくさび状に突出した突出部及び突出部の内面に設けられている案内突起を有している。可動竿先部は、中心軸筒と前記中心軸筒の両端外周に固定された竿先側の段差筒及び竿元側の段差筒とを有している。竿元側の段差筒は、その竿先側端面に竿元側案内段差部と竿元側案内段差部に形成される案内突起に係合する竿元側係合部とを有している。竿先側の段差筒は、その竿元側端面に竿先側案内段差部と竿先側段差部に形成される案内突起に係合する竿先側係合部とを有している。
【０００９】
竿元部の案内突起は、短縮位置において可動竿先部の竿先側の段差筒の竿先側案内段差部に当接して摺動して周方向の定位置に案内され且つ竿先側係合部により周方向に相対的に位置決めされ、また、案内部の案内突起は、伸長位置において可動竿先部の竿元側の段差筒の竿元側案内段差部に当接して摺動して周方向の定位置に案内され且つ竿元側係合部により周方向に相対的に位置決めされる。そして、これら案内突起，案内段差部及び係合部が前記案内・位置決め手段である。
【００１０】
また、上述の釣竿に関しては、可動竿先部の竿元側の段差筒の竿先側端面の竿元側案内段差部は円筒を斜めに切断した楕円周形状であり、その楕円周形状の最も竿元側の領域がクサビ状に狭まりクサビ状案内部となっており、これが竿元部の案内突起に係合する竿元側係合部であるようにしてもよい。
【００１１】
さらに、上述の釣竿に関しては、可動竿先部の竿先側の段差筒の竿元側端面の竿先側案内段差部は、竿元側の段差筒の円筒を斜めに切断した楕円周形状と対称形であり、その楕円周形状の最も竿先側の領域がクサビ状に狭まりクサビ状案内部となっており、これが竿元部の案内突起に係合する竿先側係合部であるようにしてもよい。
【００１２】
さらにまた、上述の釣竿に関しては、竿元部の案内筒の案内突起は、くさび状に突出した突出部の先端より竿元側に離れた位置の内面に設けられており、可動竿先部の竿先側の段差筒の竿元側端面は、竿先側案内段差部に相当する前記竿元側の段差筒の円筒を斜めに切断した楕円周形状と対称形の第１案内段差部と、竿先側案内段差部に相当する第１案内段差部とは別にさらに設けられており第１案内段差部から竿先側に軸方向にずれて前記第１案内段差部より太径化する第２案内段差部とからなる２段構造にしてもよい。この場合には、短縮位置において、竿元部の案内突起は可動竿先部の竿先側の段差筒の第１案内段差部に当接して摺動して周方向の定位置に案内され、また、竿元部のくさび状に突出した突出部の先端も第２案内段差部に当接して摺動して周方向の定位置に案内される。
【００１３】
【作用】
本発明の釣竿では、可動竿先部の伸縮時に、案内・位置決め手段によって、竿元部に対して可動竿先部を周方向の定位置に案内し、その定位置で可動竿先部を位置決めする。すなわち、可動竿先部を伸縮させるという動作を行うだけで竿元部に対する可動竿先部の周方向の位置決めが行われる。したがって、可動竿先部の伸縮動作とは別に可動竿先部の位置合わせ作業や位置合わせマークの確認作業を行う必要がなくなる。
【００１４】
また、案内・位置決め手段の案内部が、可動竿先部の外周に周方向に沿って設けられた案内段差部とこの案内段差部に当接する竿元部の案内突起との摺動作用で可動竿先部を周方向に案内するので、可動竿先部を伸縮させる動作すなわち可動竿先部を軸方向に動かす動作を行うだけで、可動竿先部を周方向の定位置にスムーズに案内することができる。また、案内・位置決め手段の位置決め部が、前記案内段差部に設けられて前記案内突起と係合する竿元側係合部を備えているので、案内突起と案内段差部との摺動作用から案内突起と竿元側係合部との係合作用へと移行して、可動竿先部を周方向の定位置に確実に位置決めすることができる。
【００１５】
さらに、竿元部が竿先側に可動竿先部が挿入される案内筒を備え、この案内筒の内面に案内突起が設けられているので、釣竿の表面に案内突起が露出しない。また、竿元部が竿先側に可動竿先部が挿入される案内筒を備え、この案内筒の先端に案内突起が設けられているので、釣竿の外面に案内突起が突出しない。
【００１６】
さらに別の釣竿では、案内段差部が可動竿先部の軸方向に対して傾斜した楕円周形状に設けられているので、比較的単純な形状でありながら、スムーズで確実な案内動作が果たせる。また、案内段差部が楕円周形状の一部にクサビ状に狭まるクサビ状案内部を有しているので、単なる楕円周形状の案内段差部に比べて、案内突起との摺動作用による案内動作が迅速かつ確実に行える。前記位置決め部となる係合部が前記クサビ状案内部の奥部に設けられているので、案内突起がクサビ状案内部から係合部へとスムーズに移行して案内および位置決め動作が確実に行われる。
【００１７】
さらに別の釣竿では、竿先側案内段差部に相当する第１案内段差部とは別にさらに設けられており第１案内段差部から竿先側に軸方向にずれて前記第１案内段差部より太径化する第２案内段差部とからなる２段構造であるので、案内・位置決め手段を二重に備えていることになり、案内動作が確実に行われる。
【００１８】
【実施例】
図１に示すように、釣り竿は複数の竿部材１０、１１で構成されており、元竿１０の長さが変更可能になっている。竿先側の竿部材１１は、いわゆる中間竿などの通常の竿部材である。元竿１０には、釣り竿を操作したりリールを取り付けたりする竿元部２０と、竿元部２０に対して出入り自在な可動竿先部３０とを有している。可動竿先部３０は竿元部２０に対して周方向に回転可能に取りつけられている。この可動竿先部３０の竿先側に、先端側の竿部材すなわち中間竿１１が順次必要な本数だけ連結される。
【００１９】
竿元部２０の竿先側の先端には案内筒２２が設けられている。案内筒２２の先端にはクサビ状に突出した突出部２４を有する。図２および図３に示すように、突出部２４の内面側には円盤状の案内突起２６を備えている。突出部２４および案内突起２６が案内凸部となる。可動竿先部３０は、中心軸筒３１と、中心軸筒３１の両端外周に嵌め込み固定された段差筒３２、３３とを備えている。図３に示すように、可動竿先部３０の中心軸筒３１および竿元側の段差筒３３が、筒状をなす竿元部２０の内部に出入り自在に挿入されている。竿元部２０の案内突起２６の高さは、竿元部２０に挿入された可動竿先部３０の中心軸筒３１の外面に当たらない程度に設定されている。
【００２０】
可動竿先部３０の竿元側の段差筒３３は、その竿先側の端面が案内段差部３６となる。案内段差部３６は、図２に示すように、中心軸筒３１の外周に沿って設けられ、全体形状が円筒を斜めに切断した楕円周形状をなしている。案内段差部３６の一部は、両側からクサビ状に狭まっていてクサビ状案内部３６ａとなっている。クサビ状案内部３６ａの奥部分は、案内突起２６の外形に合致する円弧状の係合部３６ｂとなっている。
【００２１】
可動竿先部３０の竿先側の段差筒３２は、その竿元側の端面が第１案内段差部３５となる。第１案内段差部３５は、前記竿元側の段差筒３３の案内段差部３６と対称形になっており、前記同様のクサビ状案内部３５ａと円弧状の係合部３５ｂを有している。段差筒３２の端面よりも軸方向の内側には、周方向に沿って第２案内段差部３４を有している。第２案内段差部３４は、全体が軸方向と直交する円周状をなすとともに一部が軸方向でクサビ状に狭まって凹んだクサビ状案内部３４ａとなっている。クサビ状案内部３４ａの奥部分は、突出部２４の外形に合致する円弧状の係合部３４ｂとなっている。
【００２２】
図４の右側部分に示すように、竿元部２０の案内筒２２および突出部２４が、可動竿先部３０の第２案内段差部３４の端面に配置され、案内筒２２の案内突起２６の側面が、可動竿先部３０の第１案内段差部３５の端面に配置されるようになっている。以上のような構造を有する釣り竿の動作について説明する。
【００２３】
図１に示すように、釣り竿を長くして使うには、元竿１０において、可動竿先部３０を竿元部２０から引き出して伸長状態(a) とする。釣り竿を短くして使うには、竿元部２０に可動竿先部３０を引き込んで短縮状態(b) とする。
【００２４】
(a) 伸長時の動作（図２、図３および図５参照）
図５に示すように、竿元部２０から可動竿先部３０を引き出すと、可動竿先部３０の段差筒３３が竿元部２０の案内筒２２の位置に移動し、案内段差部３６の端面が案内突起２６の側面に当たる。可動竿先部３０を竿元部２０からさらに引き出そうとすると、案内段差部３６の端面形状にしたがって案内段差部３６が案内突起２６に対して摺動する。案内段差部３６の端面形状は軸方向に対して傾斜しているので、可動竿先部３０を引き出そうとする軸方向の力が、可動竿先部３０を周方向に回転させる作用を果たす。図２および図３に示すように、案内段差部３６のクサビ状案内部３６ａから係合部３６ｂが案内突起２６の位置にくるまで可動竿先部３０が回転する。係合部３６ｂが案内突起２６の位置にくれば互いに係合されるので、可動竿先部３０はそれ以上は回転できなくなり周方向に位置決めされる。可動竿先部３０は軸方向にも移動できなくなるので、軸方向にも位置決めされる。
【００２５】
案内突起２６に案内段差部３６が最初に当たるときの、竿元部２０に対する可動竿先部３０の周方向位置がどのような状態であっても、案内突起２６と案内段差部３６との摺動案内作用による可動竿先部３０の回転動作で、案内突起２６が係合部３６ｂと係合する位置に必ず配置され、可動竿先部３０が定位置に位置決めされることになる。
【００２６】
(b) 短縮時の動作（図４および図６参照）
図６に示すように、可動竿先部３０を竿元部２０に引き込むと、可動竿先部３０の中心軸筒３１が竿元部２０の奥に挿入される。可動竿先部３０の竿先側の段差筒３２が竿元部２０の案内筒２２の位置に移動し、案内突起２６が第１案内段差部３５に当たる。可動竿先部３０を竿元部２０にさらに引き込めば、前記と同様にして、案内突起２６に対して第１案内段差部３５が摺動しながら案内され、可動竿先部３０が周方向に回転する。図４に示すように、第１案内段差部３５のクサビ状案内部３５ａから係合部３５ｂが案内突起２６に当たり、案内突起２６と係合部３５ｂとが係合すれば、可動竿先部３０は周方向および軸方向に位置決めされる。
【００２７】
上記動作の際に、図６に示すように、竿元部２０の突出部２４の先端が可動竿先部３０の第２案内段差部３４の側面に当たると、突出部２４の先端と第２案内段差部３４との間でも摺動作用が生じる。突出部２４の先端が第２案内段差部３４のクサビ状案内部３４ａに当たれば、突出部２４とクサビ状案内部３４ａとの摺動作用によっても、可動竿先部３０が回転させられる。前記した案内突起２６に第１案内段差部３５の係合部３５ｂが係合するときには、突出部２４に第２案内段差部３４の係合部３４ｂが係合する。そうすると、図１に示すように、突出部２４と第２案内段差部３４は全周で合致した状態で係合され、竿元部２０から可動竿先部３０の外周面が滑らかにつながった状態になる。
【００２８】
このように、短縮状態では、可動竿先部３０が案内突起２６と第１案内段差部３６の摺動作用と突出部２４と第２案内段差部３５との摺動作用との両方の作用で、竿元部２０に対する可動竿先部２０の案内および位置決め動作が行われることになる。上記した構造の釣り竿では、可動竿先部３０の竿元側と竿先側の両方に案内段差部３６と案内段差部３４、３５を設けているので、伸長位置と短縮位置の何れでも可動竿先部３０の周方向の位置決めが自動的に行われることになる。したがって、伸長状態と短縮状態とを迅速に切り換えて使用するのに便利である。
【００２９】
案内段差部３４〜３６が、中心軸筒２０に段差筒３２、３３を嵌合することで形成されているので、案内段差部３４〜３６の製造加工が行い易く、複雑な形状の案内段差部３４〜３６でも比較的容易に形成できる。釣り竿を構成する竿部材のうち元竿１０の先端部分を伸縮可能にしているので、中間竿については通常の構造のままでよい。元竿１０は竿先側の竿部材に比べて太いので、案内・位置決め手段を構成する各構造部分を設けておくスペースや機械的強度が十分にある。可動竿先部３０が竿元部２０に出入り自在に挿入されているので、竿元部２０には、リールの取付構造やグリップなどを自由に設けることができる。
【００３０】
短縮状態で作動する案内・位置決め手段として、案内突起２６と第１案内段差部３５との摺動作用による機構と突出部２４と第２案内段差部３４との摺動作用による機構とを二重に備えているので、案内および位置決めの動作が確実である。案内筒２２の先端に備えた突出部２４と内面に備えた案内突起２６とが、中心軸筒２０に２段に形成された第１案内段差部３５および第２案内段差部３４に対して同時に当接して案内および位置決め動作を果たすので、竿元部２０および可動竿先部３０に設ける案内・位置決め手段の構造が簡単で製造加工も容易である。
【００３１】
〔他の実施例〕
(a) 竿の長さを変更可能な釣り竿であれば、任意の用途および構造の釣り竿に適用できる。竿の長さを変更する個所は、目的に応じて任意の個所に設定できる。例えば、前記実施例では元竿１０の竿元部２０に対して竿先側の可動竿先部３０が伸縮するようにしているが、元竿１０の竿先側に連結する中間竿において、その竿元側の部分に対して竿先側の部分が伸縮するものにも適用できる。
【００３２】
(b) 案内・位置決め手段は、前記実施例のように、可動竿先部３０の伸長位置と短縮位置の両方に備えていれば、両方の位置で確実な位置決めが行えるが、伸長位置または短縮位置の何れか一方のみに備えておくだけでもよい。
【００３３】
(c) 前記実施例では、伸長位置および短縮位置において、案内突起２６と係合部３５ｂ、３６ｂとの係合作用で可動竿先部３０が竿元部２０に固定されているが、その他の固定手段を設けておくこともできる。例えば、段差筒３２のうち第１案内段差部３５と第２案内段差部３４との間の外周面に案内筒２２の内周面を嵌合固定することができる。案内筒２２と段差筒３２または段差筒３３との対向面に嵌合可能な凹凸部を設けておくこともできる。
【００３４】
【発明の効果】
本発明の釣竿では、可動竿先部を伸縮させるだけで、竿元部に対する可動竿先部の周方向の位置決めが行える。その結果、伸縮作業の後で、竿元部に対する可動竿先部の周方向位置をいちいち調整する手間がかからない。伸縮作業が迅速かつ確実に行える。釣竿を使用しながらでも簡単に伸縮させることができる。
【００３５】
また、案内段差部と案内突起との摺動作用、係合部と案内突起との係合作用で、可動竿先部の案内および位置決めがスムーズかつ確実に行える。さらに、案内突起が案内筒の内面に設けられていて、釣竿の表面に案内突起が露出しないので、外観上の体裁が良く、釣り竿の取扱い操作の邪魔にもなり難い。
【００３６】
また、案内突起が案内筒の先端に設けられていて、釣竿の外面に案内突起が突出しないので、外観上の体裁が良く、釣竿の取扱い操作の邪魔にもなり難い。さらに、楕円周形状の案内段差部により、比較的簡単な構造でありながら、スムーズな案内動作を確実に果たすことができる。製造加工の手間もあまりかからない。
【００３７】
また、クサビ状案内部により、案内動作および位置決め動作がスムーズかつ確実に行える。さらに、２段の案内段差部により、案内および位置決め動作が確実に行える。
【図面の簡単な説明】
【図１】本発明の実施例を表す釣竿の伸長状態(a) および短縮状態(b) における正面図
【図２】伸長状態における拡大正面図
【図３】伸長状態における拡大断面図
【図４】短縮状態における拡大断面図
【図５】伸長動作途中における拡大正面図
【図６】短縮動作途中における拡大正面図
【符号の説明】
１０ 元竿
１１ 竿部材
２０ 竿元部
２２ 案内筒
２４ 突出部
２６ 案内突起
３０ 可動竿先部
３１ 中心軸筒
３２、３３ 段差筒
３４ 第２案内段差部
３５ 第１案内段差部
３６ 案内段差部
【図１】
0003545046.tif 000002
【図２】
0003545046.tif 000003
【図３】
0003545046.tif 000004
【図４】
0003545046.tif 000005
【図５】
0003545046.tif 000006
【図６】
0003545046.tif 000007